(57)【要約】【課題】プリントスピードの高速化、高解像度化に対してより強化されたＥＭＩ対策を可能にする。【解決手段】小振幅差動信号の画像データによって画像を形成する画像形成装置において、小振幅差動信号の画像データライン上にフィルタとしてインダクタ２１５あるいはＲＣフィルタ２１６を挿入し、信号伝送を行う。【選択図】図６
2006205404.tif 000002
【特許請求の範囲】
【請求項１】
小振幅差動信号の画像データによって画像を形成する画像形成装置において、
前記小振幅差動信号の画像データライン上にフィルタを挿入し、信号伝送を行うことを特徴とする画像形成装置。
【請求項２】
発光源から出力される光ビームを照射することにより潜像画像が形成される回転または移動する像担持体と、
前記潜像画像を顕像化する現像手段と、
前記顕像化された画像を回転または移動する転写手段によって搬送される記録紙上に転写する転写手段と、
を備え、前記伝送された前記信号に基づいて前記発光源を点灯制御することを特徴とする請求項１記載の画像形成装置。
【請求項３】
発光源から出力される光ビームを照射することにより潜像画像が形成される回転または移動する像担持体と、
前記潜像画像を顕像化する現像手段と、
、前記顕像化された画像を一度回転または移動する転写手段に転写し、その後、記録紙に転写する転写手段と、
を備え、前記伝送された前記信号に基づいて前記発光源を点灯制御することを特徴とする請求項１記載の画像形成装置。
【請求項４】
前記フィルタ挿入による画像データ変化分について、小振幅差動信号を生成する制御部に入力するデータを変更して画像データを補正することを特徴とする請求項１ないし３のいずれか１項に記載の画像形成装置。
【請求項５】
予めフィルタ挿入前と同じ画像データになるように入力データを設定しておくことを特徴とする請求項４の画像形成装置。
【請求項６】
前記画像データを補正するための変換テーブルを備え、当該変換テーブルを用いて補正することを特徴とする請求項４の画像形成装置。
【請求項７】
小振幅差動信号の画像データによって画像を形成する画像形成装置において、
前記小振幅差動信号の画像データラインとＧＮＤ間にコンデンサ挿入し、信号伝送を行うことを特徴とする画像形成装置。
【請求項８】
発光源から出力される光ビームを照射することにより潜像画像が形成される回転または移動する像担持体と、
前記潜像画像を顕像化する現像手段と、
前記顕像化された画像を回転または移動する転写手段によって搬送される記録紙上に転写する転写手段と、
を備え、前記伝送された前記信号に基づいて前記発光源を点灯制御することを特徴とする請求項７記載の画像形成装置。
【請求項９】
発光源から出力される光ビームを照射することにより潜像画像が形成される回転または移動する像担持体と、
前記潜像画像を顕像化する現像手段と、
、前記顕像化された画像を一度回転または移動する転写手段に転写し、その後、記録紙に転写する転写手段と、
を備え、前記伝送された前記信号に基づいて前記発光源を点灯制御することを特徴とする請求項７記載の画像形成装置。
【請求項１０】
コンデンサ挿入による画像データ変化分について、小振幅差動信号を生成する制御部に入力するデータを変更して画像データを補正することを特徴とする請求項８または９記載の画像形成装置。
【請求項１１】
予めコンデンサ挿入前と同じ画像データになるように入力データを設定しておくことを特徴とする請求項１０の画像形成装置。
【請求項１２】
前記画像データを補正するための変換テーブルを備え、当該変換テーブルを用いて補正することを特徴とする請求項１０の画像形成装置。
【請求項１３】
前記小振幅差動信号の画像データをツイストペア線を用いて伝送することを特徴とする請求項１ないし１２のいずれか１項に記載の画像形成装置。
【発明の詳細な説明】
【技術分野】
【０００１】
本発明は、小振幅差動信号の画像データによって画像を形成する画像形成装置に係り、特に画像形成装置におけるＥＭＩ低減とそれに伴う画像劣化防止に関するものである。
【背景技術】
【０００２】
近年、画像形成装置において、プリントスピードの高速化、高解像度化が進み、それに伴い、画像データの転送レートも高速化し、また、ケーブルを用いた高速信号転送に伴う放射ノイズの抑制のため、小振幅差動信号（ＬＶＤＳ：Low Voltage Differential Signaling）で基板間を伝送する方式が採用されている。
【０００３】
このＬＶＤＳを使用した伝送の技術として例えば特許文献１ないし３に開示された発明が公知である。このうち特許文献１には、ＬＶＤＳインターフェース用のＩＣを使用して高速デジタル信号を扱う電子機器に搭載されるプリント配線板間を、ケーブルによって信号伝送する際に、出力回路の出力部と入力回路の入力部の差動信号の対を伝送する信号ライン間にインピーダンス部品を結合し、それぞれのインピーダンス部品の信号ライン間インピーダンスを、伝送ケーブルの各ラインの奇モード・インピーダンス（Ｚｏｄｄ）の約４倍とし、小振幅差動信号によりデータ伝送を行い、そのデータに基づきレーザー光を発生させる場合に問題となる事故の発生を防止するようにした発明が開示されている。
【０００４】
なお、関連する発明としては、例えば特許文献２あるいは３に開示された発明も知られている。
【特許文献１】特開２００２−３５４０５３公報
【特許文献２】特開２０００−２９９７０６号公報
【特許文献３】特開２００２−２３７８５３号公報
【発明の開示】
【発明が解決しようとする課題】
【０００５】
ところで、前記特許文献１に記載された発明のように、ＬＶＤＳラインにインピーダンス部品、例えばＲＣフィルタを挿入すると、当然、信号波形が鈍ることになる。ノイズの発生をより抑えることが可能となるが、この信号をレーザの点灯信号に使用した場合、高速な信号ほど、点灯時間への影響が大きくなり、点灯時間が短くなった分、画像濃度が低下し、画像に影響を与えてしまう。
【０００６】
また、更なるプリントスピードの高速化、高解像度化に対しては、今以上のＥＭＩ（不要電磁波）対策が必要となる。当然、外部から受けるノイズに対しても強くし、画像品質の低下を防止する必要がある。
【０００７】
本発明は、このような背景に鑑みてなされたもので、その目的は、プリントスピードの高速化、高解像度化に対してより強化されたＥＭＩ対策を可能にすることにある。
【課題を解決するための手段】
【０００８】
前記目的を達成するため、第１の手段は、小振幅差動信号の画像データによって画像を形成する画像形成装置において、前記小振幅差動信号の画像データライン上にフィルタを挿入し、信号伝送を行うことを特徴とする。
【０００９】
第２の手段は、第１の手段において、発光源から出力される光ビームを照射することにより潜像画像が形成される回転または移動する像担持体と、前記潜像画像を顕像化する現像手段と、
前記顕像化された画像を回転または移動する転写手段によって搬送される記録紙上に転写する転写手段とを備え、前記伝送された前記信号に基づいて前記発光源を点灯制御することを特徴とする。
【００１０】
第３の手段は、第１の手段において、発光源から出力される光ビームを照射することにより潜像画像が形成される回転または移動する像担持体と、前記潜像画像を顕像化する現像手段と、
、前記顕像化された画像を一度回転または移動する転写手段に転写し、その後、記録紙に転写する転写手段とを備え、前記伝送された前記信号に基づいて前記発光源を点灯制御することを特徴とする。
【００１１】
第４の手段は、第１ないし第３のいずれかの手段において、前記フィルタ挿入による画像データ変化分について、小振幅差動信号を生成する制御部に入力するデータを変更して画像データを補正することを特徴とする。
【００１２】
第５の手段は、第４の手段において、予めフィルタ挿入前と同じ画像データになるように入力データを設定しておくことを特徴とする。
【００１３】
第６の手段は、第４の手段において、前記画像データを補正するための変換テーブルを備え、当該変換テーブルを用いて補正することを特徴とする。
【００１４】
第７の手段は、小振幅差動信号の画像データによって画像を形成する画像形成装置において、前記小振幅差動信号の画像データラインとＧＮＤ間にコンデンサ挿入し、信号伝送を行うことを特徴とする。
【００１５】
第８の手段は、第７の手段において、発光源から出力される光ビームを照射することにより潜像画像が形成される回転または移動する像担持体と、前記潜像画像を顕像化する現像手段と、
前記顕像化された画像を回転または移動する転写手段によって搬送される記録紙上に転写する転写手段とを備え、前記伝送された前記信号に基づいて前記発光源を点灯制御することを特徴とする。
【００１６】
第９の手段は、第７の手段において、発光源から出力される光ビームを照射することにより潜像画像が形成される回転または移動する像担持体と、前記潜像画像を顕像化する現像手段と、
、前記顕像化された画像を一度回転または移動する転写手段に転写し、その後、記録紙に転写する転写手段とを備え、前記伝送された前記信号に基づいて前記発光源を点灯制御することを特徴とする。
【００１７】
第１０の手段は、第８または第９の手段において、コンデンサ挿入による画像データ変化分について、小振幅差動信号を生成する制御部に入力するデータを変更して画像データを補正することを特徴とする。
【００１８】
第１１の手段は、第１０の手段において、予めコンデンサ挿入前と同じ画像データになるように入力データを設定しておくことを特徴とする。
【００１９】
第１２の手段は、第１０の手段において、前記画像データを補正するための変換テーブルを備え、当該変換テーブルを用いて補正することを特徴とする。
【００２０】
第１３の手段は、第１ないし第１２のいずれかの手段において、前記小振幅差動信号の画像データをツイストペア線を用いて伝送することを特徴とする。
【発明の効果】
【００２１】
本発明によれば、小振幅差動信号の画像データライン上にフィルタを挿入し、信号伝送を行うので、プリントスピードの高速化、高解像度化に対してより強化されたＥＭＩ対策が可能となる。
【発明を実施するための最良の形態】
【００２２】
以下、本発明の実施形態について図面を参照して説明する。
【００２３】
１．第１の実施形態
図１は本発明の第１の実施形態に係る画像形成装置の要部を示す概略構成図である。図１において、光学ユニットとして構成される光ビーム走査装置（光学ユニット）１は、画像データに合わせて点灯するレーザダイオード（以下ＬＤと称す）と、ＬＤから出射されたレーザビーム（以下、光ビームとも称す）Ｌを平行光束化する図示しないコリメートレンズと、副走査方向に平行な線状に焦点を結ぶ図示しないシリンダレンズと、シリンダレンズからの光が入射し、当該光を偏向するポリゴンミラー１０１と、ポリゴンミラー１０１を高速で回転駆動するポリゴンモータ１０２と、等角速度走査を等速度走査に変換するｆθレンズ１０３と、ＢＴＬレンズ１０４と、ミラー１０５とからなる。このような構成により、ＬＤから出射された光ビームＬは、図示しないコリメートレンズにより平行光束化され、シリンダレンズを通り、ポリゴンモータ１０２によって回転するポリゴンミラー１０１によって偏向され、ｆθレンズ１０３及びＢＴＬ１０４を通って折り返しミラー１０５によって反射され、感光体上１０６を走査する。ＢＴＬとは、Barrel Toroidal Lens（バレル・トロイダル・レンズ）の略で、副走査方向のピント合わせ（集光機能と副走査方向の位置補正（面倒れ等））を行っている。
【００２４】
感光体１０６の回りには、帯電器１０７、現像ユニット１０８、転写器１０９、クリーニングユニット１１０、および除電器１１１が配置され、これらにより作像手段が構成され、通常の電子写真プロセスである帯電、露光、現像、転写によって記録紙Ｐ上に画像が形成される。そして図示しない定着装置によって記録紙Ｐ上の画像が定着される。
【００２５】
図２は画像形成装置における光ビーム走査装置、画像形成制御部および光学ユニットを示す概略構成図である。この図は、図１のレーザビーム走査装置１を上から見た平面図に、さらに周辺の制御系を付加したものである。制御系としては、プリンタ制御部２０１、画素クロック発生部２０２、倍率誤差検出部２０３、同期検出用点灯制御部２０４、ＬＤ駆動部２０５、ポリゴンモータ駆動制御部２０６及び補正データ記憶部２０７が設けられている。なお、画素クロック発生部２０２は、さらに基準クロック発生部２０２１、ＶＣＯ（Voltage Controlled Oscillator：電圧制御発振器）クロック発生部２０２２及び位相同期クロック発生部２０２３から構成されている。また、光ビーム走査装置１の主走査方向の走査開始側で光ビームＬを検出する同期検知センサ１２３が設けられている。これにより、ＬＤユニット１２０から出射され、ポリゴンミラー１０１によって反射されてｆθレンズ１０３を透過した光ビームＬがミラー１２１によって反射され、レンズ１２２によって集光されて同期検知センサにそれぞれ入射する。
【００２６】
この構成では、光ビームＬが同期検知センサ１２３上を通過することにより、同期検知センサ１２３から同期検知信号ＸＤＥＴＰが出力され、画素クロック生成部２０２、同期検知用点灯制御部２０４に送られる。
【００２７】
画素クロック生成部２０２では、同期検知信号ＸＤＥＴＰに同期した画素クロックＰＣＬＫを生成し、ＬＤ制御部２０５及び同期検出用点灯制御部２０４に送る。画素クロック生成部２０２は、前述のように基準クロック発生部２０２１、ＶＣＯクロック発生部２０２２、位相同期クロック発生部２０２３から構成されている。
【００２８】
図３はＶＣＯクロック発生部（ＰＬＬ回路：PhaseLocked Loop）２０２２の構成を示すブロック図である。ＶＣＯクロック発生部２０２２は基準クロック発生部２０２１からの基準クロック信号ＦＲＥＦと、ＶＣＬＫを１／Ｎ分周器２０２２１でＮ分周した信号を位相比較器２０２２２に入力し、位相比較器２０２２２では、両信号の立ち下がりエッジの位相比較が行なわれ、誤差成分を定電流出力する。そしてＬＰＦ（ローパスフィルタ）２０２２３によって不要な高周波成分や雑音を除去し、ＶＣＯ２０２２４に送る、ＶＣＯ２０２２４ではＬＰＦ２０２２３の出力に依存した発振周波数を出力する。従って、プリンタ制御部２０１からＦＲＥＦの周波数と分周比：Ｎを変化させることによってＶＣＬＫの周波数を変更することができる。  
位相同期クロック発生部２０２３では、画素クロック周波数の８倍の周波数に設定されているＶＣＬＫから、画素クロックＰＣＬＫを生成し、さらに、同期検知信号ＸＤＥＴＰに同期した画素クロックＰＣＬＫを生成している。また、プリンタ制御部２０１からＦＲＥＦの周波数と分周比：Ｎを可変することによってＶＣＬＫの周波数を変更することができ、それにより画素クロックＰＣＬＫの周波数も変更することが可能となる。そして、画素クロックＰＣＬＫの周波数を変更することにより画像の全体倍率を変えることができる。
【００２９】
同期検出用点灯制御部２０４は、最初に同期検知信号ＸＤＥＴＰを検出するために、ＬＤ強制点灯信号ＢＤをＯＮしてＬＤを強制点灯させるが、同期検知信号ＸＤＥＴＰを検出した後には、同期検知信号ＸＤＥＴＰと画素クロックＰＣＬＫによって、フレア光が発生しない程度で確実に同期検知信号ＸＤＥＴＰが検出できるタイミングでＬＤを点灯させ、同期検知信号ＸＤＥＴＰを検出したらＬＤを消灯するＬＤ強制点灯信号ＢＤを生成し、ＬＤ制御部２０５に送る。
【００３０】
ＬＤ制御部２０５では、同期検知用強制点灯信号ＢＤ及び入力される画像データから、画素クロックＰＣＬＫに同期したＬＤ点灯データを生成し、それをＬＶＤＳに変換し、ＬＤユニット１２０のＬＤ駆動部１２０１に送る（図４参照）。ＬＤ駆動部１２０１は、プリンタ制御部２０１から設定された光量で、ＬＤ点灯データに応じてＬＤを点灯制御する。そして、ＬＤユニット１２０からレーザビームが出射し、ポリゴンミラー１０１で偏向され、ｆθレンズ１０３を通り、感光体１０６上を走査することになる。ポリゴンモータ制御部２０６は、プリンタ制御部２０１からの制御信号により、ポリゴンモータを規定の回転数を維持するように回転制御する。
【００３１】
図４はＬＤユニット１２０の構成を示す図である。ＬＤ１２０２の構成は周知の通り、ＬＤ（レーザダイオード）１２０２とＰＤ（フォトダイオード）１２０３で構成されている。ＬＤ駆動部１２０１ではプリンタ制御部２０１から指示された光量でＬＤ１２０２を点灯させるために、ＰＤ１２０３のモニタ電圧Ｖｍを一定に保つようにＬＤ電流Ｉｄを制御する（ＡＰＣ動作：オート・パワー・コントロール）。光量を変更する場合、プリンタ制御部２０１からの指示（制御信号）により電圧Ｖｍが変更され、その設定された電圧Ｖｍを一定に保つようにＬＤ電流Ｉｄを制御することになる。また、ＬＤ制御部１２０１から送られる画像データ（ＬＤ点灯データ）に応じて、ＬＤ１２０２をＯＮ／ＯＦＦ制御する。
【００３２】
図５は画像データ（ＬＤ点灯データ）の伝送方法を示す説明図である。この実施形態では、フィルタとしてインダクタ２１５を使用した例である。すなわち、ＬＤ制御部２０５内のＬＶＤＳドライバ２０５１とＬＤ駆動部１２０１をケーブル２１０によって接続し、さらに、ケーブル２１０の前段にフィルタとしてインダクタ２１５を設けている。これによりＬＤ制御部２０５内のＬＶＤＳドライバ２０５１から出力されるＬＤ点灯データはインダクタ２１５を介してＬＤユニット１２０内のＬＤ駆動部１２０１に送られることになる。ＬＢＤＳドライバ２０５１から送られる信号は、小振幅差動信号であり、ＬＤ駆動部２０１側で終端処理されている。なお、この実施形態では、フィルタとしてインダクタ２１５を使用しているがこれにに限定されるものではない。
【００３３】
２．第２の実施形態
本実施形態は第１の実施形態におけるフィルタとして図６に示すように前記インダクタ２１５に代えてＲＣフィルタ２１６としたものである。なお、ＲＣフィルタ２１６としてコンデンサのみで構成することもできる。
【００３４】
図７は図５及び図６におけるフィルタ（コンデンサ、インダクタ）挿入による光パルスへの影響を示す図である。ＬＶＤＳドライバ２０５１への入力データが同じでも、コンデンサの有無により、実際に点灯する時間（光パルス幅）に違いが生じる。コンデンサを挿入すると、入力データが小さい（パルス幅が短い）ほど、ＬＤ点灯時間への影響が大きくなる。
【００３５】
ＬＤ制御部２０５にＬＤの点灯時間を制御するＰＷＭ信号発生部を備え、仮に１６分割のＰＷＭ信号が生成できるとする。ＬＤ制御部２０５に入力する画像データを１ｂｉｔ（２値）とした場合、プリンタ制御部２０１からの制御信号により、ＬＤ点灯データ（パルス幅データ）を決定することになる。この場合、コンデンサ挿入による影響がないデータであれば問題ないが、影響があるデータを使用する場合は、予め、コンデンサ挿入前と同じＬＤ点灯時間が得られるようなデータに変えておくことになる。例えば、コンデンサ挿入前に１０／１６パルスデータを使用していて、１２．５ｎＳのＬＤ点灯時間が得られていたとする。コンデンサ挿入によって、１０．０ｎＳに細ってしまった場合、１２．５ｎＳを得るために、１１／１６パルスデータが必要であれば、１０／１６から１１／１６パルスデータに変更する。
【００３６】
ＬＤ制御部２０５に入力する画像データが２ｂｉｔ（４値）の場合も同様である。２ｂｉｔの場合、‘００’、‘０１’、‘１０’、‘１１’の４種類のデータとなり、それぞれに対してＰＷＭ信号をプリンタ制御部２０１からの設定で決定することになる。‘００’はデータなしであるので、それ以外のデータについて、コンデンサ挿入によるＬＤ点灯時間の変化がないように、パルスデータを変えることになる。画像データが３ｂｉｔ以上でも同様である。
【００３７】
そして、変更したパルスデータをＬＶＤＳドライバ２０５１で信号変換し、フィルタ、例えばＲＣフィルタ２１６を介してＬＤ駆動部１２０１に送り、ＬＤを点灯させる。
【００３８】
図８は入力データ変換テーブルの一例を示す図である。例えば、ＬＤ制御部２０５にＬＤの点灯時間を制御するＰＷＭ信号発生部を備え、１６分割のＰＷＭ信号が生成できるとすると、予め、図７の特性から図８に示すような変換テーブル２１１を作成しておく。ＬＤ制御部２０５に１７値の画像データが入力した場合、この変換テーブル２１１によってパルスデータを変換し、ＬＶＤＳドライバ２０５１で信号変換し、フィルタを介してＬＤ駆動部１２０１に送り、ＬＤを点灯させる。
【００３９】
コンデンサ挿入によってパルスが細るため、結果として図８の例では、階調数が１７値から１４値に減ってしまうが、ハイライト部（低階調部）についての画像濃度は確保できる。
【００４０】
なお、図６に示した例ではケーブル２１０によってＬＶＤＳドライバ２０５１とＬＤ駆動部１２０１が接続されているが、図９に示すように前記ケーブル２１０に代えて、例えばツイストペア線２１２を用いることもできる。このようにツイストペア線２１２を用いると、ＥＭＩ対策がより強化され、画像品質の低下も防止することができる。
【００４１】
その他の各部は前述の第１の実施形態と同等に構成され、同等に機能する。また、画像データ伝送方式についても第１及び第２の実施形態と同等である。
【００４２】
３．第３の実施形態
図１０は第３の実施形態に係る４ドラム方式の画像形成装置を示す概略構成図である。この画像形成装置は、イエロー（Ｙ）、マゼンタ（Ｍ）、シアン（Ｃ）、ブラック（ＢＫ）の４色の画像を重ね合わせたカラー画像を形成するために４組の画像形成部（感光体１０６、現像ユニット１０８、帯電器１０７、転写器１０９、図示しないクリーニングユニット１１０）と４組の光学ユニット（レーザビーム走査装置１）を備えている。したがって、図１に示した画像形成装置を４つ並べてた構成であり、転写ベルトＢによって矢印方向に搬送される記録紙Ｐ上に１色目の画像を形成し、次に２色目、３色目、４色目の順に画像を転写することにより、４色の画像が重ね合わさったカラー画像を記録紙上に形成し、図示しない定着装置によって記録紙上の画像が定着される。
【００４３】
なお、転写ベルトＢはローラＲ間に張設され、搬送用モータＭによって駆動される。光学ユニットについては、図２に示したものが４組備えられている。各光学ユニット１の構成および制御は前述の第１の実施形態と同様なので説明は省略する。本構成の画像形成装置においても、第１及び第２の実施形態で説明した画像データ（ＬＤ点灯データ）の伝送方法が適用できる。この場合、各色で独立に光ビーム走査装置を備えているので、それぞれの色毎に前記電送が行われることになる。
【００４４】
その他、特に説明しない各部は前述の第１及び第２の実施形態と同等に構成され、同等に機能する。
【００４５】
以上のようにこれらの実施形態によれば、以下のような効果を奏する。
【００４６】
１）小振幅差動信号の画像データライン上にフィルタを挿入し、信号伝送を行うので、ＥＭＩ対策をより強化することができる。
【００４７】
２）フィルタ挿入による画像データ変化分について、小振幅差動信号を生成する制御部に入力するデータを変更して画像データを補正するので、画像品質の低下を防止することができる。
【００４８】
３）変換テーブルを用いて補正するので、入力データに影響を受けずに画像品質の低下を防止することができる。
【００４９】
４）小振幅差動信号の画像データをツイストペア線を用いて伝送するので、ＥＭＩ対策がより強化され、画像品質の低下も防止することができる。
【図面の簡単な説明】
【００５０】
【図１】本発明の第１の実施形態に係る画像形成装置の要部を示す概略構成図である。
【図２】第１の実施形態に係る画像形成装置における光ビーム走査装置、画像形成制御部および光学ユニットを示す概略構成図である。
【図３】図２におけるＶＣＯクロック発生部の構成を示すブロック図である。
【図４】図１におけるＬＤユニットの構成を示す図である。
【図５】画像データ（ＬＤ点灯データ）の伝送方法を示す説明図である。
【図６】第２の実施形態に係る画像データ（ＬＤ点灯データ）の伝送方法を示す説明図である。
【図７】図５及び図６におけるフィルタ（コンデンサ、インダクタ）挿入による光パルスへの影響を示す図である。
【図８】入力データ変換テーブルの一例を示す図である。
【図９】画像データ（ＬＤ点灯データ）の伝送方法の他の例を示す説明図である。
【図１０】第３の実施形態に係る４ドラム方式の画像形成装置を示す概略構成図である。
【符号の説明】
【００５１】
１  光ビーム走査装置
１０６  感光体ドラム
１０７  帯電器
１０８  現像ユニット
１０９  転写器
１１０  クリーニングユニット
１１１  除電気
１２０  ＬＤユニット
１２３  同期検知センサ
２０１  プリンタ制御部
２０２  画素クロック生成部
２０４  同期検知用点灯制御部
２０５  ＬＤ制御部
２０６  ポリゴンモータ制御部
２１０  ケーブル
２１２  ツイストペア線
２１５  インダクタ
２１６  ＲＣフィルタ
１２０１  ＬＤ駆動部
１２０２  ＬＤ
１２０３  ＰＤ
２０５１  ＬＶＤＳドライバ
【図１】
2006205404.tif 000003
【図２】
2006205404.tif 000004
【図３】
2006205404.tif 000005
【図４】
2006205404.tif 000006
【図５】
2006205404.tif 000007
【図６】
2006205404.tif 000008
【図７】
2006205404.tif 000009
【図８】
2006205404.tif 000010
【図９】
2006205404.tif 000011
【図１０】
2006205404.tif 000012